(57)【要約】【課題】コンパクトで伸縮自在なショルダストラップ装置を提供する。【解決手段】ストラップ装置は、パッド２０上に形成された第１及び第２固定ガイド２３，２５と、内部通路がブリッジにより第１通路及び第２通路に分割された第１移動ガイド３と、内部通路がブリッジにより第３通路及び第４通路に分割された第２移動ガイド５と、第１移動ガイドのブリッジ３ｂに一端が固定され、他端が第３通路、第４通路、第２通路及び第１固定ガイドをこの順で通過している第１ストラップ１１と、第２移動ガイドのブリッジ５ｂに一端が固定され、他端が第２通路、第１通路、第３通路及び第２固定ガイドをこの順で通過している第２ストラップ１３と；を備える。このストラップ装置が縮むとパッドと同じ長さとなりコンパクトである。ストラップが引き出されるとパッドのほぼ４倍長が得られる。【選択図】　図２
2004065447.tif 000002
【特許請求の範囲】
【請求項１】
伸縮自在なストラップ装置であって、
パッドと；
パッド上の両端近傍にそれぞれ設けられ、ストラップが通過する通路が内部に形成された第１及び第２固定ガイドと；
内部に形成された通路がブリッジにより第１通路及び第２通路に分割されており、かつパッド上の第１固定ガイドと第２固定ガイドの間を移動可能な第１移動ガイドと；
内部に形成された通路がブリッジにより第３通路及び第４通路に分割されており、かつパッド上の第１固定ガイドと第２固定ガイドの間を移動可能な第２移動ガイドと；
第１移動ガイドのブリッジに一端が固定され、他端が第３通路、第４通路、第２通路及び第１固定ガイドをこの順で通過している第１ストラップと；
第２移動ガイドのブリッジに一端が固定され、他端が第２通路、第１通路、第３通路及び第２固定ガイドをこの順で通過している第２ストラップと；を備え、第１通路と第３通路、第２通路と第４通路がそれぞれ対向するように第１移動ガイドと第２移動ガイドがパッド上に配置されているストラップ装置。
【請求項２】
パッドの中央部に固定されかつストラップを通過させる通路が内部に形成された第３固定ガイドをさらに有し、第１移動ガイドがパッド上の第１固定ガイドと第３固定ガイドの間を移動可能であり、第２移動ガイドがパッド上の第２固定ガイドと第３固定ガイドの間を移動可能である請求項１に記載のストラップ装置。
【請求項３】
第１移動ガイドを第１固定ガイドに着脱可能に係合する係合部材を備える請求項１又は２に記載のストラップ装置。
【請求項４】
第１及び第２ストラップの他端に、それぞれ、物体に取付け可能な取付け部材が設けられている請求項１から３のいずれか一項に記載のストラップ装置。
【請求項５】
第１及び第２ストラップの他端近傍に、それぞれ、ストラップの長さ調節アジャスタがそれぞれ取り付けられている請求項１から４のいずれか一項に記載のストラップ装置。
【請求項６】
第１移動ガイドと第２移動ガイドが、それぞれ、スラップの長さ方向に軸を有する四角柱であり、第１、第２、第３及び第４通路が四角柱内で軸に沿って形成されている請求項１から５のいずれか一項に記載のストラップ装置。
【請求項７】
第１移動ガイドと第２移動ガイドの間に第１及び第２ストラップがそれぞれ２重に重なって存在しており、第１及び第２ストラップの他端を互いに離れる方向に引き離すことによって第１ガイドと第２ガイドが接近して第１及び第２ストラップが引き出される請求項１から６のいずれか一項に記載のストラップ装置。
【請求項８】
伸縮自在なストラップ付きバッグであって、
バッグ本体と；
内部に形成された通路がブリッジにより第１通路及び第２通路に分割された第１ガイドと；
内部に形成された通路がブリッジにより第３通路及び第４通路に分割された第２ガイドと；
第１ガイドのブリッジに一端が固定され、他端が第３通路、第４通路、及び第２通路をこの順で通過して、バッグに接続されている第１ストラップと；
第２移動ガイドのブリッジに一端が固定され、他端が第２通路、第１通路及び第３通路をこの順で通過してバッグに接続されている第２ストラップと；
第１ガイドにのみ取り付けられたパッドと；
バッグ本体に取り付けられたロック部材と；
パッドに取り付けられて第１該ロック部材に着脱可能に係合する係合部材と；を備え、
第１通路と第３通路、第２通路と第４通路がそれぞれ対向するように第１移動ガイドと第２移動ガイドがバッグ本体の表面上に配置されているバッグ。
【請求項９】
第１ガイドがパッドの一端近傍に取り付けられ、係合部材がパッドの他端に取り付けられている請求項８に記載のバッグ。
【請求項１０】
ロック部材が、バッグ本体に固定された逆Ｌ字状のアームである請求項８又は９に記載のバッグ。
【請求項１１】
さらに、少なくともストラップが延在する方向に延在する支持部材がバッグ本体に設けられている請求項８から１０のいずれか一項に記載のバッグ。
【請求項１２】
ロック部材が、バッグの側面、正面又は背面に設けられている請求項８から１１のいずれか一項に記載のバッグ。
【発明の詳細な説明】
【０００１】
【発明の属する技術分野】
本発明は、伸縮自在のストラップ装置及びそれを備えるバッグに関する。
【０００２】
【従来技術及び発明が解決しようとする課題】
ショルダストラップ（ショルダベルト）が取り付けられたバッグは、ショルダストラップを肩に掛けてバッグを保持することができるので、バッグの荷重が重い場合や使用者の手を自在にしたい場合などに便利である。ショルダストラップは、通常、バッグ本体の左右上端部のフックに着脱可能に取り付けられている。しかしながら、ショルダストラップを使用しない場合には、ショルダストラップがバッグ本体から垂れ下がり体裁が良くない。また、バッグ本体から垂れ下がったショルダストラップがものに引掛かって事故を招く場合もあり得る。さらに、バッグを、空港や電車のホームで床に一時的に置いたときには、ショルダストラップが床に触れて衛生上よくない。
【０００３】
上記のような問題点を解決するために、出願人は平成１３年１０月に行われた２００１東京発明展（発明協会東京支部主催）にて、図９（Ａ），（Ｂ）に示すような伸縮自在のショルダストラップ付きバッグ１５０を出展した。このバッグに取り付けられたショルダストラップ装置９８は伸縮がスムーズであり４倍の長さに瞬時にストラップを引き出すことができるので、極めて便利であり、同発明展で特別賞を受賞すると共に、株式会社ウノフク（兵庫県豊岡市梶原）により商品名「クイックストラップ」の下で販売されることになっている。しかしながら、ストラップ装置９８には次のような改良すべき点があった。図９（Ａ）に示すように、ストラップ装置９８が縮んだ状態では、その全長はパッド７０とストラップ１１，１３の長さの合計であるため装置全長が比較的長くなる。また、パッド７０がユーザの肩位置に来るように第１及び第２ストラップ１１，１３の長さを設計しなければならず、特に第１及び第２ガイド３，５におけるストラップ１１，１３の巻き込み長さを為慮して設計しなければならなかった。また、図９（Ｂ）に示した状態からストラップを縮めるときにはガイド３，５をつかんで互いに引き離す必要があるので、両手で操作しなければならず、このためバッグ本体８０を一旦どこかに置く必要があった。
【０００４】
本発明の目的は、ストラップを使用していない場合は、ストラップがバッグ本体から垂れ下がることがない長さに縮み、ストラップが必要なときには瞬時に十分な長さに引き伸ばすことができるストラップであって、上記本出願人が東京発明展に出品したものの改良すべき点を改良したストラップ装置及びそれを備えるバッグを提供することにある。
【０００５】
【課題を解決するための手段】
本発明の第１の態様に従えば、伸縮自在なストラップ装置（１５）であって、
パッド（２０）と；
パッド上の両端近傍にそれぞれ設けられ、ストラップが通過する通路が内部に形成された第１及び第２固定ガイド（２３，２５）と；
内部に形成された通路がブリッジ（３ｂ）により第１通路（７ａ）及び第２通路（７ｂ）に分割されており、かつパッド上の第１固定ガイドと第２固定ガイドの間を移動可能な第１移動ガイド（３）と；
内部に形成された通路がブリッジ（５ｂ）により第３通路（９ｂ）及び第４通路（９ａ）に分割されており、かつパッド上の第１固定ガイドと第２固定ガイドの間を移動可能な第２移動ガイド（５）と；
第１移動ガイドのブリッジ（３ｂ）に一端（１１ａ）が固定され、他端（１１ｂ）が第３通路、第４通路、第２通路及び第１固定ガイド（２３）をこの順で通過している第１ストラップ（１１）と；
第２移動ガイドのブリッジに一端（１３ａ）が固定され、他端（１３ｂ）が第２通路、第１通路、第３通路及び第２固定ガイドをこの順で通過している第２ストラップ（１３）と；を備え、
第１通路（７ａ）と第３通路（９ｂ）、第２通路（７ｂ）と第４通路（９ａ）がそれぞれ対向するように第１移動ガイドと第２移動ガイドがパッド上に配置されているストラップ装置（１５）が提供される。図２に示したようにストラップ装置が縮んでいる状態（収納されている状態）では、第１移動ガイドと第２移動ガイドの間に第１及び第２ストラップがそれぞれ２重に重なって存在しており、収納状態から第１及び第２ストラップの他端を互いに離れる方向に引き離すことによって第１ガイドと第２ガイドが接近して第１及び第２ストラップが極めてスムーズにかつ瞬時に引き出される。この結果、図３に示すように、収納状態における第１移動ガイドと第２移動ガイドの間隔の４倍の長さのストラップ全長が得られる。このストラップは移動ガイドがパッド上を移動してストラップの伸縮を行うので、ストラップ装置の収納時の全長がほぼパッド長さとなり、極めてコンパクトな装置をもたらす。また、第１及び第２ストラップ長さを同一にすることができるので、製造が容易となる。
【０００６】
本発明のストラップ装置は、パッドの中央部に固定されかつストラップを通過させる通路が内部に形成された第３固定ガイド（２７）をさらに有し、第１移動ガイドがパッド上の第１固定ガイドと第３固定ガイドの間を移動可能であり、第２移動ガイドがパッド上の第２固定ガイドと第３固定ガイドの間を移動可能にし得る。第３固定ガイドは、第１及び第２移動ガイドの移動終点を規制しており、第１及び第２ストラップの長さを同じにすれば、ストラップが引き出されたときにストラップ装置の中央位置が第３固定ガイドによりパッドの中心に位置することになる。従って、本発明のストラップ装置をバッグなどに装着して使用する時には、パッドが常にユーザの肩の上に位置して、ユーザの肩を保護することができる。
【０００７】
本発明のストラップ装置は第１移動ガイドを第１固定ガイドに着脱可能に係合する係合部材を備え得る。係合部材はストラップの不用意な引き出しを防止し、使用時のみストラップを引き出すことができる。
【０００８】
本発明のストラップ装置は、第１及び第２ストラップの他端に、それぞれ、物体に取り付け可能な取り付け部材、例えば、フック（９２ａ，９２ｂ）を設け得る。また、第１及び第２ストラップの他端近傍に、それぞれ、ストラップの長さ調節アジャスタ（９０ａ，９０ｂ）をそれぞれ取り付けてもよい。
【０００９】
第１移動ガイドと第２移動ガイドは、それぞれ、スラップの長さ方向に軸を有する四角柱状であり、第１、第２、第３及び第４通路が四角柱内で軸に沿って形成されているのが好ましい。四角柱状にすると、常に第１通路と第３通路、第２通路と第４通路がそれぞれ対向するような姿勢で第１移動ガイドと第２移動ガイドをパッド上に配置し得る。また、ストラップ装置の伸縮時に四角柱の比較的広い表面積を有する側面がパッド上をスライド移動するので、ストラップの伸縮時における滑り抵抗を低減して伸縮動作を楽に行える。
【００１０】
本発明の第２の態様に従えば、　伸縮自在なストラップ付きバッグであって、バッグ本体（８０）と；内部に形成された通路がブリッジにより第１通路及び第２通路に分割された第１ガイド（３）と；内部に形成された通路がブリッジにより第３通路及び第４通路に分割された第２ガイド（５）と；第１ガイド（３）のブリッジ（３ｂ）に一端が固定され、他端が第３通路、第４通路、及び第２通路をこの順で通過して、バッグの例えば一端に接続されている第１ストラップ（１１）と；第２移動ガイド（５）のブリッジ（５ｂ）に一端が固定され、他端が第２通路、第１通路及び第３通路をこの順で通過して、バッグの例えば他端に接続されている第２ストラップ（１３）と；第１ガイドにのみ取り付けられたパッド（７０）と；バッグ本体に取り付けられたロック部材（６０）と；パッド（７０）に取り付けられて該ロック部材に着脱可能に係合する係合部材（４０）と；を備え、
第１通路と第３通路、第２通路と第４通路がそれぞれ対向するように第１移動ガイドと第２移動ガイドがバッグ本体の表面上に配置されているバッグが提供される。このバッグは、ロック部材及びそれに係合する係合部材を備えるので、ユーザーは片手でバッグの取手を掴んだまま、もう片方の手で第２ガイドを第１ガイド（パッド）から離れる方向に引くだけで瞬時に且つスムーズにストラップを収納（縮める）することができる。
【００１１】
本発明のバッグでは、第２ストラップが第１ストラップよりも所定長さ長くし得る。ストラップが引き出されたときにパッドの中心がストラップの中心位置すなわち、ユーザの肩の頂点位置に来るようにすればよい。第１ガイドがパッドの一端近傍に取り付けられ、係合部材がパッドの他端に取り付けられ得る。ロック部材は、バッグ本体に固定された逆Ｌ字状のアーム（６０）にし得る。逆Ｌ字状のアームは、ストラップが縮んだ状態にてパッドをバッグ本体に固定することができる。さらに、本発明のバッグは少なくともストラップが延在する方向に延在する支持部材（８６）がバッグ本体に設けられ得る。本発明のバッグにおいて、ロック部材が、バッグの側面、正面又は背面に設けられ得る。
【００１２】
本明細書において、用語「スリット」とは、細長い矩形のみならず、円形、楕円形、正方形などの任意の断面形状の開口を意味する。また、用語「ストラップ」は、断面が細長い矩形のみならず、円形、楕円形などの任意の形状のひもを意味する。
【００１３】
【発明の実施の形態】
第１具体例
本発明のストラップ装置の第１具体例を、図１〜３及び図４Ａ，４Ｂを用いて説明する。ストラップ装置１５は、主に、第１移動ガイド３、第２移動ガイド５、第１ストラップ１１、第２ストラップ１３及びパッド２０を備える。第１移動ガイド３は、図４Ａに示すように、ストラップの長さ方向に軸を有する四角柱であり、この軸方向にストラップが通過する中空の通路が内部に形成されている。通路は筒体の中央部に、筒体の底面３ｃ及び上面３ａと平行に延在する中央部材（ブリッジ）３ｂを隔ててその上方及び下方にそれぞれ互いに平行なスリット（開口）７ａ及び７ｂに分割されている。底面３ｃは通路が延在する方向に所定の長さで延在して、底面３ｃがパッド２０の表面に接触するようにパッド上に置かれる。ストラップ１１の一端１１ａは、図４（Ｂ）に示すように、中央部材３ｂに周回した後、ストラップ１１の端部近傍に縫い合わせて中央部材３ｂに接続されている。第１ストラップ１１は、スリット７ａ及び７ｂよりもわずかに狭い幅でかつスリットの１／２以下の厚みを有し、ポリプロピレン、ポリエチレン又はナイロンのような表面が滑らかで柔軟な部材から構成されている。第２移動ガイド５も、また、第１移動ガイド３と同じ材料及び構造を有するほぼ矩形の枠または直方体であり、中央部材５ｂを隔てて上下に平行なスリット９ａ及び９ｂが形成されている。中央部材５ｂには、第２ストラップ１３の一端１３ａが第１ストラップと同様にして接続されている。第２ストラップ１３は第１ストラップ１１と同じ寸法で同じ材料から形成されている。
【００１４】
パッド２０上の長手方向端部には、それぞれ、ストラップの厚み以上の厚みを有しストラップの幅以上の幅を有する通路が内部に形成された中空の第１固定ガイド２３及び第２固定ガイド２５が固着されている。パッド２０上の長手方向中央には、ストラップの暑さの４倍以上の高さを有しかつストラップ幅以上の幅を有する通路が内部に形成された中空の第３固定ガイド２７が取り付けられている。
【００１５】
第１移動ガイド３及び第２移動ガイド５は、図２に示すように、スリット７ａとスリット９ｂが対向し、スリット７ｂとスリット９ａが対向するようにパッド２０上に載置されている。そして、第１移動ガイド３の底面３ｃ及び第２移動ガイド５の底面５ｃがそれぞれパッド７０上に摺動可能に設けられている。それゆえ、第１移動ガイド３はパッド２０上で第１固定ガイド２３と第３固定ガイド２７との間を移動可能である。第２移動ガイド３はパッド２０上で第２固定ガイド２３と第３固定ガイド２７との間を移動可能である。第１移動ガイド３の中央部材３ｂに取り付けられた第１ストラップ１１の他端１１ｂは、第３固定ガイドを通って第２移動ガイド５に向かって延在し、第２移動ガイド５のスリット９ａを通過する。第２移動ガイド５のスリット９ａを通過した他端１１ｂは、折り返してスリット９ｂを通過して第３固定ガイド２７を通って第１移動ガイド３に向う。次いで、第１移動ガイド３のスリット７ａを通過して、第１固定ガイド２３を通過している。第１ストラップ１１の他端１１ｂはストラップの長さ調節用アジャスタ９０ａに形成された２本のスリットを通過してフック９２ａが設けられたリング９３を通過した後、再びアジャスタ９０ａに形成された２本のスリットを通過することでアジャスタ９０ａに固定されている。
【００１６】
第２移動ガイド５の中央部材５ｂに一端１３ａが取り付けられた第２ストラップ１３の他端１３ｂは、第３固定ガイド２７を通って第１移動ガイド３に向かって延在し、第１移動ガイド３のスリット７ａを通過する。スリット７ａ通過した他端１３ｂは、折り返してスリット７ｂを通過して第３固定ガイド２７を通って第２移動ガイド５向かい、第２移動ガイド５のスリット９ａを通過して、第２固定ガイド２５通過している。第２ストラップ１３の他端１３ｂはストラップの長さ調節用アジャスタ９０ｂに形成された２本のスリットを通過してフック９２ｂが設けられたリング９３を通過した後、再びアジャスタ９０ｂに形成された２本のスリットを通過することでアジャスタ９０ｂに固定されている。
【００１７】
図２から分かるように、ストラップ１１及びストラップ１３がそれぞれ第１移動ガイド３と第２移動ガイド５の間に折りたたまれて存在しており、その結果、第１移動ガイド３と第２移動ガイド５の間にストラップ１１，１３の半部が４重に重なって位置している。
【００１８】
次いで、ストラップ装置１５の動作を説明する。図１及び２に示した状態のストラップ装置１５において、ストラップ１１及び１３の他端１１ｂ及び１３ｂに設けられたフック９２ａ，９２ｂを、例えば、バッグ（又はカメラ）の側面に設けられているリング９４ａ，９４ｂに取り付けることができる（図３参照）。そして、パッド２０をバッグ本体８０の上方に向かって引き上げると、あるいは第１固定ガイド２３（又は第２固定ガイド２５）とアジャスタ９０ａ（又は９０ｂ）の間に存在するストラップ１１（又はストラップ１３）を指で引き出すことにより、ストラップ１１及び１３が第１及び第２固定ガイド２３及び２５からそれぞれ引き出され、同時に第１及び第２移動ガイド３，５が第３固定ガイド２７に近づくように移動する。さらに、パッド２０を引き上げると、さらにストラップ１１，１３が第１及び第２固定ガイド２３，２５から引出され、図３に示したように、第１移動ガイド３と第２移動ガイド５が第３固定ガイド２７突き当たりそれ以上ストラップ１１，１３は引出されなくなる。
【００１９】
この結果、ストラップ１１，１３の殆どの長さがそれぞれの移動ガイドを通って引出されており、図２に示した状態のストラップ装置１５における第１移動ガイド３と第２移動ガイド５との間隔の２倍の長さがそれぞれの移動ガイドから引出され、ストラップ装置全体としてその間隔の４倍の長さが得られている。注目すべきことは、パッド２０の引き上げという簡単な動作で、ストラップ１１，１３が極めてスムーズに、第１及び第２固定ガイド２３及び２５から引き出されることである。パッド２０の引き上げは極めて低抵抗であるので子供でも即座に実施できる。これは、図２において重なり合っている第１ストラップと第２ストラップ（図２中の上から１番目及び２番目のストラップ、または上から３番目及び４番目のストラップ）が共に同方向に移動するからである。ストラップ装置１５を図１Ａに示したような元の状態に戻すには、第３固定ガイド突き当たっている第１移動ガイド３と第２移動ガイド５を互いに反対方向に引離せばよい。これにより４倍長に伸長可能なストラップが実現される。
【００２０】
本発明のストラップ装置では、第１及び第２ストラップの長さが同一でよい為に、製造が容易である。また、第１ガイド及び第２ガイドがパッド上で移動するので、ストラップが縮んだ状態では極めてコンパクトにすることができる。即ち、縮んだ状態ではストラップ装置はほぼパッド７０と同じ長さとなる。また、ガイドがパッド上に常に位置しているのでガイドがユーザの体に接触することがない。
【００２１】
第２具体例
図５から７に示したバッグは、ストラップ装置１００と、バッグ本体８０と、バッグ本体８０の上面８０ａの端に設けられたロックアーム６０とを備える。バッグ本体８０の内壁には上面から側面（上面と側面の間の角部）に沿って支持部材８６が設けられている。バッグ本体８０には一対の取手８０ｃが正面及び背面にそれぞれ設けられている。バッグ側面にはリング９４ａ，９４ｂが設けられている。
【００２２】
ストラップ装置１００は、第１具体例と同様にガイド３，５、ストラップ１１，１３及びパッド７０を有する。ガイド３の中央部材３ｂには、図４（Ｂ）に示したように、ストラップ１１の一端１１ａを周回させかつストラップ１１に縫い合わせることで一端１１ａが接続されている。ガイド５の中央部材５ｂには、ストラップ１３の一端１３ａを周回させかつストラップ１３に縫い合わせることで一端１３ｂが接続されている。ロックアーム６０は、バッグ本体８０の上面に８０ａに固定された逆Ｌ字状アームであり、バッグの表面から垂直に延在するアーム基部６０ｂと、アーム基部６０ｂからバッグ表面と平行に延在し且つ基部６０ｂに対して撓み変形可能なる爪部を有し、爪部の先端にロック爪６０ａを備える（図６（Ｂ））。
【００２３】
パッド７０は、上部がパッドカバー７１に覆われており、パッドカバー７１内部をストラップが通過する通路を構成する。パッド７０の一端にガイド３が固着されており、パッドカバー７１はガイド３の上面３ａとガイドの側面を覆っている。ロック爪６０ａと係合する係合部材４０がパッド７０のガイド３と反対側端部に設けられている。ストラップ１１の他端１１ｂは、ガイド５の上枠５ｃと中央部材５ｂとの間のスリットを通過後、ガイド５の中央部材５ｂと下枠５ａとの間のスリットを通ってパッド７０の一端に取り付けられたガイド３の方に戻り、ガイド３の中央部材３ｂと下枠３ｃの間のスリットを通ってさらにパッド７０とパッドカバー７１の間の通路を通る。次いで、パッド７０の他端側からパッドカバー７１を出て、長さ調節アジャスタ９０ａを通って、バッグ側面に取り付けられたリング９４ａに係合しているフック９２ａのリング９１を通った後、再度長さ調節アジャスタ９０ａを通ってそこで固定されている。ストラップ１３の他端１３ｂは、ガイド３の下枠３ｃと中央部材３ｂとの間のスリットを通過後、ガイド３の中央部材３ｂと上枠３ａとの間のスリットを通ってガイド５の方に戻り、ガイド５の中央部材５ｂと上枠５ｃの間のスリットを通ってガイドを出る。次いで、長さ調節アジャスタ９０ｂを通って、バッグ側面に取り付けられたリング９４ｂに係合しているフック９２ｂのリング９１を通った後、再度、長さ調節アジャスタ９０ｂに通されることでそこで固定されている。
【００２４】
図６Ａに示したように、ストラップ装置１００が縮んだ状態では、ロックアーム６０のロック爪６０ａがパッド７０に取り付けられた係合部材４０の係合孔４０ａに係合しているので、パッド７０はロックアーム６０に固定されている。それゆえ、パッド７０はバッグ本体８０にロックアーム６０を介して固定されている。特に、パッド７０の先端がロックアーム６０の爪部とバッグ表面との間に挿入されて保持されている。ストラップ装置１００からストラップを引出すには、ロック爪６０ａをロックアーム基部６０ｂに対して撓み変形させて係合部材４０の係合孔４０ａからロック爪６０ａを外す。次いで、図６Ｂに示したように、パッド７０とアジャスタ９０ａとの間に存在するストラップ１１又はガイド５とアジャスタ９０ｂとの間に存在するストラップ１３をバッグ本体の上面８０ａから離れるように引き出す。これによりパッド７０は、バッグ本体の上面８０ａに沿ってロックアーム６０から離れる方向に移動する。この動作でストラップ１１，１３がガイド３，５の間から引出される。ストラップ１１，１３が完全に引出されると、ガイド３とガイド５は、図７に示すように接合して一体化する。この状態でユーザはパッド７０を肩に当てつつ、引き出されたストラップ１１，１３でバッグ本体８０を肩からぶら下げることができる。
【００２５】
引出されたストラップを短く（収納）するためには、ユーザは一方の手でパッド７０、特に係合部材４０が設けられたパッド部分を持って係合部材４０をロックアーム６０に運び、図８に示すように、係合部材４０にロックアーム６０のアジャスタ爪６０ａを係合させる。このとき、ストラップ１１，１３は図示のように弛んだ状態にある。次いで、ユーザはパッド７０から離れる方向（図中矢印方向）にガイド５を引くことにより、弛んだストラップがガイド３，５間に収容され、図６Ａに示したようにガイド３、５が離れた状態に戻すことができる。すなわち、ストラップ１１，１３がバッグ本体の上面８０ａ上で縮んだ状態となる。ストラップを短くする上記動作の間、ユーザは他方の手でバッグのハンドル８０ｃを掴んでバッグ本体８０を持っていることができることに注目すべきである。すなわち、この具体例のロック機構を用いれば、ユーザは片手でバッグのハンドル８０ｃを掴んだまま、片手でストラップの伸縮動作を行うことができる。従って、ストラップの伸縮動作の際に、バッグ本体を床や椅子の上に置く必要がない。特に、ストラップを縮める動作は、ｉ）ロック爪６０ａを係合部材の孔４０ａに挿入するステップと、ｉｉ）ガイド５を引くステップの２つのステップで足り、この２つのステップは簡単で数秒しかかからない。従って、駅のホームや電車内でユーザは立ったままストラップの引き出し及び収納を容易にかつ瞬時に行うことができる。
【００２６】
なお、ストラップを縮める動作においてロックアーム６０を基点としてバッグの長手方向（ストラップの延在方向）にロックアームから離れる向きに力が働くため、バッグが正面または背面に撓み易くなる。この現象はバッグ本体の材料がソフトであるほど顕著となる。これを防止するために、支持部材８６がバッグの長手方向（ストラップの延在方向）に延在するようにバッグ内壁に取り付けられている。支持部材８６は紙、プラスチック、軽量金属から形成された薄板にし得る。バッグ上面、側面、正面又は背面が比較的硬質の材料から形成されて前記力に耐え得る場合は、それらの材料を支持部材として機能させ得る。
【００２７】
ロックアーム６０はバッグ側面、正面又はバッグ背面に設けてもよい。ロックアーム６０を、バッグ正面に設けるとパッド７０及びストラップ１１，１３もバッグ正面に収容され、バッグに機能的なデザインを与えることができる。また、バッグ背面に設けるとパッド７０及びストラップ１１，１３がバッグ正面に現れないのでバッグ正面のデザインを損なうことがない。
【００２８】
以上、本発明を具体例により説明してきたが、本発明はそれらの具体例の種々の変形例を含む。例えば、第１具体例のストラップ装置の第１移動ガイドと第１固定ガイドに互いに係合可能な部材、例えば、第２具体例における係合部材４０とロック爪６０ａをそれぞれ取り付け得る。このような互いに係合可能な部材（ロック部材）を移動ガイドと固定ガイドに設けると、ストラップ装置が縮んだ状態において、何らかの意図しない力がストラップかかっても不用意にストラップが引き出されることが防止される。このような互いに係合可能な部材を第２移動ガイドと第２固定ガイドに設けても良い。
【００２９】
係号部材とロック部材は、図示したものに限らず種々の形態にし得る。係合部材にロック爪を設け、ロックアーム側にロック爪と係号する孔を設けてもよい。また、パッド７０とガイド３を一体成型により作製してもよい。ガイド５の表面をカバーで覆ってもよく、すべり防止用の凹凸を表面に形成してもよい。
【００３０】
本発明のストラップ装置は、バッグのショルダストラップのみならず、カメラ、双眼鏡、ＭＤ、ビデオカメラなどの各種の記録装置のショルダストラップのような伸縮自在の機能があると便利な種々の用途に使用可能である。
【００３１】
【発明の効果】
本発明によれば、第１及び第２ストラップの長さが同一であるために製造が容易であり、ストラップ装置が縮んだ状態で極めてコンパクトであるストラップ装置が提供される。本発明のバッグは、ストラップを使用していない場合は、ストラップがバッグ本体から垂れ下がることがない長さに縮み、ストラップが必要なときには瞬時に十分な長さに引き伸ばすことができ、一方、ストラップを片手で容易にかつ瞬時に縮めることができる。また、ロックアームによりパッドがバッグ本体に係合されるので、ストラップが縮んでいる状態において、特にロックアームをバッグ正面または背面に取り付けた場合であっても、パッドがバッグからぶら下がることが防止されるとともに、卓越した工業デザインをもたらす。
【図面の簡単な説明】
【図１】本発明のストラップ装置の構造を示す上面図である。
【図２】ストラップ装置が縮んだ状態の概略図である。
【図３】ストラップ装置が伸びた状態の概略図である。
【図４】（Ａ）及び（Ｂ）は、ぞれぞれ、第１及び第２ガイドの斜視図である。
【図５】本発明のバッグの概観図である。
【図６】ロックアームがバッグ本体の上面に設けられた第２具体例を示すバッグの側面図であり、（Ａ）はストラップ装置が縮んだ状態を示し、（Ｂ）はロックアームから係合部材を離脱した状態を示す。
【図７】第２具体例においてストラップを引き出した状態を示す概念図である。
【図８】図８は、第２具体例において引き出したストラップを縮める動作を示す概念図である。
【図９】出願人による従来のストラップ装置を説明する概念図であり、（Ａ）はストラップが収納されている状態を示し、（Ｂ）はストラップが引き出された状態を示す。
【符号の説明】
３　第１移動ガイド、５　第２移動ガイド、１１　第１ストラップ、１３　第２ストラップ、１５　ストラップ装置、２０　パッド、２３　第１固定ガイド、２５　第２固定ガイド、２７　第３固定ガイド、４０、係合部材、６０　ロックアーム、７０　パッド
【図１】
2004065447.tif 000003
【図２】
2004065447.tif 000004
【図３】
2004065447.tif 000005
【図４】
2004065447.tif 000006
【図５】
2004065447.tif 000007
【図６】
2004065447.tif 000008
【図７】
2004065447.tif 000009
【図８】
2004065447.tif 000010
【図９】
2004065447.tif 000011